(57)【要約】【課題】自立状態で生ずる中折れの抑制を図ったスタンディングパウチを提供する。【解決手段】少なくとも上部シール部６と側部シール部４を有するとともに、底部にガセット部を有するスタンディングパウチであって、上部シール部６を底部に向かって折り返した折返し片８を有し、該折返し片８は少なくとも上部シール部４の幅方向の中央部分を含むように設けられている。内容物が充填された自立状態において、折返し片８が突っ張ることで壁面フィルム１全体に張りを持たせることから、壁面フィルム１の上部から内側に向かって形成されるＶ字状の折込みの形状が保形されやすくなり、パウチの中折れを抑制することができる。【選択図】図１
2015101371.tif 000002
【特許請求の範囲】
【請求項１】
少なくとも上部シール部と側部シール部を有するとともに、底部にガセット部を有するスタンディングパウチであって、上部シール部を底部に向かって折り返した折返し片を有し、該折返し片は少なくとも上部シール部の幅方向の中央部分を含むように設けられていることを特徴とするスタンディングパウチ。
【請求項２】
折返し片は上部シール部の幅方向の一端から他端に亘って設けられていることを特徴とする請求項１に記載のスタンディングパウチ。
【請求項３】
側部シール部に連設される幅広シール部分を有し、且つ、幅広シール部分はパウチの上部に設けられていることを特徴とする請求項１又は２に記載のスタンディングパウチ。
【発明の詳細な説明】
【技術分野】
【０００１】
本発明は、主に液体を収納して販売するための包装袋の技術分野に属し、詳しくは、液体が内容物として充填された状態でそれ自体が自立性のあるスタンディングパウチに関するものである。
【背景技術】
【０００２】
上述のスタンディングパウチは、可撓性の積層フィルムからなる胴部フィルムの下部に山形に折り曲げた底部フィルムを挟み込んで周囲を加熱シールしたもので、内容物として液体を充填すると底部フィルムが拡開して自立できるようになっており、従来より、ボトルやカートンなどの保形性容器の代替容器として、あるいは、ボトルに内容物を補充する詰め替え用容器として好適に用いられている。そして、従来よりその自立性を向上させるものが種々考えられており、中でも高い効果のあるものとして側部シール部に補強機構を設けたスタンディングパウチが提案されている。
【０００３】
例えば、引用文献１に記載のスタンディングパウチは、側部シール部を胴部側に折り曲げて少なくとも一部を接着するか、または筒状の未シール部分を設けることで補強構造としている。また、引用文献２に記載のスタンディングパウチは、樹脂の射出成形により形成された柱状の補強部材を、側部シール部における上下を除く部分に沿って接合するようにしている。
【先行技術文献】
【特許文献】
【０００４】
【特許文献１】特開２００１−２７０５３３号公報
【特許文献２】特開２００７−２６１６０７号公報
【発明の概要】
【発明が解決しようとする課題】
【０００５】
上記したスタンディングパウチは、可撓性の積層フィルムからなるので、内容物が充填された状態で自立させると、内容物の重量によりパウチの幅方向中央部での上下方向の折れ曲がり（通常「中折れ」という）が生じてしまう。この中折れが生ずると、パウチの表面に印刷された絵柄が崩れてしまい、店頭で並べたときに商品としての見栄えが良くないという問題がある。ところが、前記したように、引用文献１，２をはじめとするどの文献にも、スタンディングパウチの自立性を向上させる点は記載されてはいるものの、中折れを抑制することについては何も記載が見当たらない。
【０００６】
本発明は、このような背景に鑑みてなされたものであり、その目的とするところは、自立状態で生ずる中折れの抑制を図ったスタンディングパウチを提供することにある。
【課題を解決するための手段】
【０００７】
上記の目的を達成するため、本発明に係るスタンディングパウチは、少なくとも上部シール部と側部シール部を有するとともに、底部にガセット部を有するスタンディングパウチであって、上部シール部を底部に向かって折り返した折返し片を有し、該折返し片は少なくとも上部シール部の幅方向の中央部分を含むように設けられていることを特徴としている。
【０００８】
そして、上記のスタンディングパウチにおいて、折返し片は上部シール部の幅方向の一端から他端に亘って設けられていることが好ましい。
【０００９】
また、上記のスタンディングパウチにおいて、側部シール部に連設される幅広シール部分を有し、且つ、幅広シール部分はパウチの上部に設けられていることが好ましい。
【発明の効果】
【００１０】
本発明のスタンディングパウチは、上部シール部に折返し片を設けたので、内容物が充填された自立状態において、折返し片が突っ張ることで壁面フィルム全体に張りを持たせることから、壁面フィルムの上部から内側に向かって形成されるＶ字状の折込みの形状が保形されやすくなり、パウチの中折れを抑制することができる。したがって、パウチ表面の絵柄の崩れが抑えられ、店頭での見栄えが悪くなるのを防ぐことができる。また、折返し片に指などを引っ掛けて持てるので、持ちやすいといった利点もある。
【図面の簡単な説明】
【００１１】
【図１】本発明に係るスタンディングパウチの一例を内容物を充填して自立させた状態で示す斜視図である。
【図２】図１のスタンディングパウチを充填前の状態で示す平面図である。
【図３】図２のスタンディングパウチを縦方向の断面で示す説明図である。
【図４】本発明に係るスタンディングパウチの他の例を内容物を充填して自立させた状態で示す斜視図である。
【図５】図４のスタンディングパウチを充填前の状態で示す平面図である。
【図６】本発明に係るスタンディングパウチのさらに他の例を充填前の状態で示す平面図である。
【図７】本発明に係るスタンディングパウチのさらに他の例を充填前の状態で示す平面図である。
【図８】本発明に係るスタンディングパウチのさらに他の例を充填前の状態で示す平面図である。
【図９】折返し片を連設する折線上に押罫を形成した場合の説明図である。
【図１０】本発明に係るスタンディングパウチのさらに他の例を縦方向の断面で示す説明図である。
【発明を実施するための形態】
【００１２】
次に、本発明の実施の形態について図面を参照しながら詳細に説明する。
【００１３】
図１のスタンディングパウチＡ1 は、可撓性の積層フィルムで構成され、内容物として例えば液体状の食品などを充填して販売するものであり、内容物を充填する前の状態を図２及び図３に示している。
【００１４】
図２及び図３に示すスタンディングパウチＡ11は、胴部を形成する２枚の壁面フィルム１の間に２つ折りした底面フィルム２を組み合わせて製造される。また、底面フィルム２を２つ折りしたガゼット形式の底部には、その両側下端近傍に半円状の切欠２ａが設けられており、胴部を形成する２枚の壁面フィルム１の間に２つ折りの底面フィルム２を挟み込み、舟底形の底部シール部３でヒートシールするとともに、左右端縁に沿った側部シール部４でヒートシールすることで製袋されている。また、左右の側部シール部４には、上辺より所定距離だけ離れたところにそれぞれ開封用ノッチ５が形成されている。
【００１５】
図２及び図３に示すスタンディングパウチＡ11は、複数枚ごと纏められた状態で充填工程に送られ、そこで一枚ずつに内容物が充填される。具体的には、上部を広げて内容物を充填し、その開口を閉じるようにヒートシールして所定幅の上部シール部６を形成する。この充填工程を経ることで、スタンディングパウチＡ1 は、底部シール部３と左右の側部シール部４に加え、上辺シール部６を有したものとなる。
【００１６】
このように内容物を充填した後、本発明では、この上部シール部６を底部に向かって折り返す。すなわち、図１に示すように、上部シール部６は基片７と折返し片８とで構成され、折線αを介してその基片７と折返し片８とが連設されている。このとき、折返し片８は、折返し片８を基片７との角度が鋭角になるように折り返されるのが好ましい。これにより、図１に示すように、スタンディングパウチＡ1 は、上部シール部６の幅方向の一端から他端に亘って折返し片８が設けられたものとなる。なお、図２において、上部シール部予定部が符号６１、折線予定部が符号α１、基片予定部が符号７１、折返し片予定部が符号８１で示されている。
【００１７】
このスタンディングパウチＡ1 では、上部シール部６に設けた折返し片８が突っ張って壁面フィルム１に張りを持たせるので、壁面フィルム１の上部から内側に向かって形成されるＶ字状の折込みの形状が保形されやすくなり、パウチの中折れが抑制される。そして、内容物を取り出すときは、左右いずれかの開封用ノッチ５の両側で側部シール部４を摘んで互いに反対側に引っ張ることにより、壁面フィルム１を破断して開封することができる。なお、以下の例でも同様のことであるが、パウチ上部に設ける開封手段は、開封用ノッチ５に限るものではなく、従来より知られている任意の手段で構わない。
【００１８】
図４のスタンディングパウチＡ2 は、図１で説明したスタンディングパウチＡ1 の変形例であり、内容物を充填する前の状態を図５に示している。この図５は図２と類似しているため、同じ構成部分には同じ符号を付してある。
【００１９】
図５に示すスタンディングパウチＡ21では、パウチの上部に両方の側部シール部４に連設された幅広シール部分９を設けてある。なお、図５に示すように、幅広シール部分９は上部シール部予定部６１と重なるように形成される。幅広シール部分９は、上側の第１部分９１と下側の第２部分９２とで構成され、第２部分９２の内側シールラインは、パウチの内側から外側に向かって傾斜するように形成されることが好ましい。さらに、第２シール部分９２の内側シールラインを傾斜するように形成する場合、パウチの外側に向かって湾曲する部分を有するように形成することが好ましい。
【００２０】
なお、図５において、幅広シール部分９は、外側シールラインが側部シール部４と連設するように形成され、第１部分９１の内側シールラインがパウチの外側から内側に向かって傾斜するように形成され、第２部分９２の内側シールラインがパウチの内側から外側に向かって傾斜するように形成されるとともに、第２部分９２の内側シールラインが側部シール部４の内側シールラインと連設する箇所近傍において、第２部分９２の内側シールラインがパウチの外側に向かって湾曲するように形成されている。
【００２１】
この側部シール部４に連設する幅広シール部分９は、側部シール部４をヒートシールするときに同時に形成してもよい。このような形状の幅広シール部分９を設けることにより、パウチの中折れを抑制するのに加え、パウチの側部での折れ（通常「腰折れ」という）も抑制しやすくなる。
【００２２】
図６，７，８のスタンディングパウチＡ31，Ａ41，Ａ51は、図２で説明したスタンディングパウチＡ11の変形例であり、それぞれ内容物を充填する前の状態で示している。これらの図は図２と側部シール部４の形状が異なっているだけであり、同じ構成部分には同じ符号を付してある。
【００２３】
このうち、図６のスタンディングパウチＡ31は、側部シール部４が、側部シール部４の外側シールラインが直線状で、側部シール部４の内側シールラインがパウチの内側に向かって傾斜する傾斜シール部分４ａを有している。例えば、この傾斜シール部分４ａは、パウチの上部からガセット形式の底部の上端までの間に設けられる。この傾斜シール部分４ａの傾斜形状は、直線状でもよいし曲線状でもよい。図６では、傾斜シール部分４ａが、パウチの上部から中央部にかけて設けられるとともに、パウチの内側に向かって湾曲するように設けられている。このような傾斜シール部分４ａを設けることにより、Ｖ字状の折込みに沿ったフォルムを形成しやすくすることができる。また、側部シール部４の内側シールラインを、傾斜シール部分４ａの下端からガセット形式の底部の上端にかけて、パウチの外側に向かって傾斜するように設けてもよい。図６では、傾斜シール部分４ａの下端からガセット形式の底部の上端にかけての側部シール部４の内側シールラインが、パウチの外側に向かって傾斜するとともに、パウチの内側に向かって湾曲するように設けられている。
【００２４】
一方、図７のスタンディングパウチＡ41は、側部シール部４が、側部シール部４の外側シールラインがパウチの内側に向かって湾曲する湾曲シール部分４ｂを有している。例えば、湾曲シール部分４ｂは、図示のように、パウチの上部からガセット形式の底部の上端までの間に設けられる。このような湾曲シール部分４ｂを設けることにより、パウチ全体の保形性を向上させることができる。
【００２５】
また、図８のスタンディングパウチＡ51は、側部シール部４が、側部シール部４の内側シールラインがパウチの内側に向かって傾斜する傾斜シール部分４ａを有しているとともに、側部シール部４の外側シールラインがパウチの内側に向かって湾曲する湾曲シール部分４ｂを有している。図８では、傾斜シール部分４ａがパウチの上部から中央部にかけて設けられるとともにパウチの内側に向かって湾曲するように設けられ、傾斜シール部分４ａの下端からガセット形式の底部の上端にかけての側部シール部４の内側シールラインがパウチの外側に向かって傾斜するとともにパウチの内側に向かって湾曲するように設けられ、側部シール部４の湾曲シール部分４ｂがパウチの上部からガセット形式の底部の上端にかけて設けられている。
【００２６】
本発明のスタンディングパウチでは、基片７と折返し片８を連設する折線αのところに押罫を形成してもよい。なお、押罫は、図９に示すように、折返し片８を折り返したときに、基片７と折返し片８が対向する面から、反対の面に突出するように設ける。このように折線αに押罫を設けることにより、折返し片８が折り返された状態を保持しやすくすることができる。
【００２７】
本発明のスタンディングパウチは、胴部を形成する２枚の壁面フィルムと２つ折りした底面フィルムを組み合わせた構成に限定されるものではなく、１枚のフィルムから構成されるものであってもよい。また、その場合、底部シール部は形成してもよいし形成しなくてもよい。このように１枚のフィルムでスタンディングパウチを構成する形態では、上部から内容物を充填した後、上部シール部を形成して密封した後、折返し片を形成する。
【００２８】
本発明のスタンディングパウチを、胴部を形成する２枚の壁面フィルム１と２つ折りした底面フィルム２を組み合わせて構成する場合、内容物を充填後に上部シール部６を閉じてから基片７に対して折返し片８を折り曲げるのではなく、図１０に示すようなスタンディングパウチＡ61、すなわち、底面フィルム２におけるガセットの片方だけをシールするとともに、上部シール部６および折返し片８を形成してなるスタンディングパウチＡ61を使用し、底部から内容物を充填して密封した後に底部シール部を形成してもよい。
【００２９】
本発明のスタンディングパウチにおいて、側部シール部４の幅は、７ｍｍ以上とすることが好ましく、１０ｍｍ以上とすることがより好ましい。側部シール部４の幅を１０ｍｍ以上とした場合、レトルト用途であっても、腰折れを抑制しやすくすることができる。レトルト用途のスタンディングパウチを構成するフィルムとしては、少なくとも、外側から順に基材層、バリア層、シーラント層が積層された積層フィルムを使用することができ、例えば、外側から順に、ＰＥＴ、アルミニウム箔、ＣＰＰが積層した積層フィルムを使用することができる。
【００３０】
本発明のスタンディングパウチは、上記した実施の形態に何ら限定されるものではなく、本発明の趣旨を逸脱しない範囲において種々の変更が可能であることは言うまでもないことである。
【００３１】
例えば、上記の例では、折返し片は上部シール部の幅方向の一端から他端に亘って設けているが、壁面フィルムに張りを持たせるように作用する範囲であれば、折返し片は、少なくとも上部シール部の幅方向の中央部分を含むように設けられていればよい。
【産業上の利用可能性】
【００３２】
本発明のスタンディングパウチは、主に液体を収納して販売する際に用いるのが好適であるが、液体と類似した挙動を示す粉体、粒状体などを収納する場合にも利用することができる。
【符号の説明】
【００３３】
Ａ1 ，Ａ11，Ａ2 ，Ａ21，Ａ31，Ａ41，Ａ51，Ａ61  スタンディングパウチ
１  壁面フィルム
２  底面フィルム
２ａ  切欠
３  底部シール部
４  側部シール部
４ａ  湾曲シール部分
４ｂ  湾曲シール部分
５  開封用ノッチ
６  上部シール部
６１  上部シール部予定部
７  基片
７１  基片予定部
８  折返し片
８１  折返し片予定部
９  幅広シール部分
９１  幅広シール部分の第１部分
９２  幅広シール部分の第２部分
α  折線
α１  折線予定部
【図１】
2015101371.tif 000003
【図２】
2015101371.tif 000004
【図３】
2015101371.tif 000005
【図４】
2015101371.tif 000006
【図５】
2015101371.tif 000007
【図６】
2015101371.tif 000008
【図７】
2015101371.tif 000009
【図８】
2015101371.tif 000010
【図９】
2015101371.tif 000011
【図１０】
2015101371.tif 000012